(57)【特許請求の範囲】
【請求項１】
遊技球が流下する遊技領域を有する遊技盤と、前記遊技領域に設けられた始動口と、この始動口に遊技球が入賞したことを検出する始動検出器と、前記遊技領域に設けられ、前記始動検出器が遊技球を検出したことに基づいて作動するセンタ役物と、を備えたパチンコ機において、
前記センタ役物は、
遊技球が進入する大入賞口と、
この大入賞口を開閉する羽根と、
前記大入賞口を通過した遊技球を受け入れる内部空間と、
この内部空間に取り込まれた遊技球が通過可能な特定領域およびハズレ領域と、
前記内部空間に形成された、前記大入賞口から進入した遊技球を前記特定領域まで導く第１経路および第２経路と、
前記大入賞口から進入した遊技球を前記第１経路または前記第２経路に振り分ける第１遊技球振分け機構と、
前記第１経路に設けられ、前記第１遊技球振分け機構によって前記第１経路に振り分けられた遊技球を、前記特定領域または前記ハズレ領域に第１の確率で振り分ける第２遊技球振分け機構と、
前記第２経路に設けられ、前記第１遊技球振分け機構によって前記第２経路に振り分けられた遊技球を、前記特定領域または前記ハズレ領域に前記第１の確率より高い第２の確率で振り分ける第３遊技球振分け機構と、
前記第１遊技球振分け機構と前記第２遊技球振分け機構との間の前記第１経路に設けられ、前記第１遊技球振分け機構によって前記第１経路へと振り分けられた遊技球が前記第２遊技球振分け機構へと導かれるまでの時間を遅延する遅延手段と、を備え、
前記遅延手段は、一定の方向へ回転する回転体を有して構成されると共に、前記回転体の回転位置に応じて遊技球が異なる方向に振り分けられる結果、遊技球を異なる遅延時間で前記第２遊技球振分け機構へと導くようにした
ことを特徴とするパチンコ機。
【請求項２】
請求項１の記載において、
前記遅延手段は、一定の方向へ回転する前記回転体を２つ有し、前記２つの回転体のうち一方は遊技球の流下方向の上流側に設けられる第１回転体、他方は遊技球の流下方向の下流側に設けられる第２回転体であり、
前記第１回転体は、回転位置に応じて、遊技球を第１遅延時間だけ遅らせた後に前記第２回転体を経由することなく前記第２遊技球振分け機構へ流下させる場合と、遊技球を前記第２回転体へ導入させる場合とに振り分けが可能な構成であり、
前記第２回転体は、前記第１回転体から導かれた遊技球を、前記第１遅延時間より長い第２遅延時間だけ遅延させた後に前記第２遊技球振分け機構へ流下させることが可能な構成である
ことを特徴とするパチンコ機。
【請求項３】
請求項２の記載において、
前記第１回転体は、さらに、遊技球を、前記第１遅延時間より長く、かつ前記第２遅延時間より短い第３遅延時間だけ遅延させた後に前記第２回転体を経由することなく前記第２遊技球振分け機構へ流下させることが可能な構成である
ことを特徴とするパチンコ機。
【請求項４】
請求項３の記載において、
前記第１回転体は、前記遊技盤の面に直交する方向を軸として回転自在な円柱状または円筒状の本体部と、この本体部の周壁を切り欠いて形成された切欠き部とを有して成り、
前記切欠き部は、その回転方向における下流側に設けられ、遊技球を１個保持可能な程度の大きさを有する遊技球保持部と、この遊技球保持部から連続して前記回転方向の上流側まで形成された平坦面とを有し、
前記第１回転体は、遊技球が前記本体部の周壁に衝突した場合に、その遊技球を前記第１遅延時間だけ遅延させた後に前記第２遊技球振分け機構へ流下させ、遊技球が前記遊技球保持部に一時的に保持された場合に、その遊技球を前記第３遅延時間だけ遅延させた後に前記第２遊技球振分け機構へ流下させ、遊技球が前記平坦面を流下して前記切欠き部の前記回転方向における上流側から排出された場合に、その遊技球を前記第２回転体へ流下させるようにした
ことを特徴とするパチンコ機。
【請求項５】
請求項２〜４の何れか１項の記載において、
前記第２遊技球振分け機構は、遊技球を前記特定領域へと導く当り穴と、遊技球を前記ハズレ領域へと導くハズレ穴とを有する中央回転体と、この中央回転体を回転駆動する駆動手段と、を有して構成され、
前記第１回転体、前記第２回転体、および前記中央回転体は、複数のギアを介して前記駆動手段と接続される
ことを特徴とするパチンコ機。
【発明の詳細な説明】
【技術分野】
【０００１】
本発明は、特定領域を有するセンタ役物を備え、当該センタ役物内に取り込まれた遊技球が、特定領域を通過したことを条件に大当り遊技を提供するタイプのパチンコ機に関する。
【背景技術】
【０００２】
従来、パチンコ機においては、いわゆるパチンコ球（以下、遊技球という）を発射装置により遊技盤面に形成された遊技領域内に発射し、遊技球が遊技領域内に配置されたセンタ役物内に入賞し、さらにセンタ役物内に形成された特定領域（いわゆる、Ｖゾーン）に遊技球が取込まれることによって、遊技者にとって有利な遊技状態（大当り）が開始される形態のパチンコ機が知られている。
【０００３】
この種のパチンコ機として、例えば特許文献１が公知である。この特許文献１に記載のパチンコ機は、遊技領域内にセンタ役物が設けられている。このセンタ役物は、上大入賞口と、上大入賞口を開閉する羽根と、当り経路と、上大入賞口から内部に取り込まれた遊技球を振り分ける第１〜第４遊技球振分け機構と、を備えて構成されている。第１遊技球振分け機構は、中央部が軸支されて左右側が交互にシーソー動作して遊技球を振り分ける振分け板と、この振分け板を駆動する駆動装置とを備えている。第２遊技球振分け機構は、遊技球の通路内に進退動作して、通路内を転動する遊技球を弾く球突き板と、この球突き板を駆動する駆動装置とを備えている。第３遊技球振分け機構は、遊技球を保持する区域が複数設けられた円盤状の回転体と、この回転体を駆動する駆動装置とを備えて構成され、複数の区域のうち予め定めた区域に遊技球が保持されると、当り経路へと誘導される。また、第４遊技球振分け機構は、遊技球を保持する球保持部が複数設けられた回転体と、この回転体を駆動する駆動装置とを備えて構成され、複数の球保持部のうち当り球保持部に遊技球が保持されると、当り経路へと誘導されるようになっている。なお、これら第１〜第４遊技球振分け機構は、各々、予め定められた（周期的な）動作を行うように構成されている。
【０００４】
特許文献１では、センタ役物内に取り込まれた遊技球は、次のような順序で振り分けられる。即ち、上大入賞口から遊技球がセンタ役物内に取り込まれると、その遊技球は、まず、第１遊技球振分け機構によって左経路または右経路（右経路の方が大当りになる確率が高い）に所定の確率で振り分けられる。左経路に導かれた遊技球は、さらに第２遊技球振分け機構によって外れ経路または第３遊技球振分け機構に所定の確率で振り分けられる。第３遊技球振分け機構に導かれた遊技球は、この第３遊技球振分け機構によって、当り経路、リプレイ経路、または外れ経路へと所定の確率で振り分けられる。一方、第１遊技球振分け機構によって右経路に振り分けられた遊技球は、第４遊技球振分け機構によって当り経路または外れ経路に所定の確率で振り分けられる。このように、特許文献１によれば、遊技球が当り経路まで導かれるまでの過程が変化に富んだものとなり、遊技の興趣を高めることができる。
【先行技術文献】
【特許文献】
【０００５】
【特許文献１】特開２００８−２３７５４０号公報
【発明の概要】
【発明が解決しようとする課題】
【０００６】
しかしながら、上記従来のパチンコ機では、遊技球振分け機構の動作に周期性があるため、上大入賞口に遊技球が入賞して第１遊技球振分け機構によって左経路または右経路に振り分けられた時点での第２〜第４遊技球振分け機構の動作状況によって、遊技球が当り経路に導かれるか否かが直ぐに分かってしまうという課題があった。より具体的に言えば、左経路に振り分けられた時点で、第２遊技球振分け機構である球突き板の進退動作のタイミングと、第３遊技球振分け機構である回転体の回転位置とから、遊技球が最終的に当り経路に振り分けられるか否かが容易に予測できてしまうといった課題があった。
【０００７】
本発明は、上記課題を解決すべくなされたものであり、その目的は、センタ役物に入賞した遊技球が特定領域に入るか否かの予測が困難なパチンコ機を提供することにある。
【課題を解決するための手段】
【０００８】
上記目的を達成するために、本発明は、遊技球が流下する遊技領域を有する遊技盤と、前記遊技領域に設けられた始動口と、この始動口に遊技球が入賞したことを検出する始動検出器と、前記遊技領域に設けられ、前記始動検出器が遊技球を検出したことに基づいて作動するセンタ役物と、を備えたパチンコ機において、前記センタ役物は、遊技球が進入する大入賞口と、この大入賞口を開閉する羽根と、前記大入賞口を通過した遊技球を受け入れる内部空間と、この内部空間に取り込まれた遊技球が通過可能な特定領域およびハズレ領域と、前記内部空間に形成された、前記大入賞口から進入した遊技球を前記特定領域まで導く第１経路および第２経路と、前記大入賞口から進入した遊技球を前記第１経路または前記第２経路に振り分ける第１遊技球振分け機構と、前記第１経路に設けられ、前記第１遊技球振分け機構によって前記第１経路に振り分けられた遊技球を、前記特定領域または前記ハズレ領域に第１の確率で振り分ける第２遊技球振分け機構と、前記第２経路に設けられ、前記第１遊技球振分け機構によって前記第２経路に振り分けられた遊技球を、前記特定領域または前記ハズレ領域に前記第１の確率より高い第２の確率で振り分ける第３遊技球振分け機構と、前記第１遊技球振分け機構と前記第２遊技球振分け機構との間の前記第１経路に設けられ、前記第１遊技球振分け機構によって前記第１経路へと振り分けられた遊技球が前記第２遊技球振分け機構へと導かれるまでの時間を遅延する遅延手段と、を備え、前記遅延手段は、一定の方向へ回転する回転体を有して構成されると共に、前記回転体の回転位置に応じて遊技球が異なる方向に振り分けられる結果、遊技球を異なる遅延時間で前記第２遊技球振分け機構へと導くようにしたことを特徴としている。
【０００９】
本発明によれば、遅延手段を構成する回転体の回転位置に応じて、遊技球の遅延時間が異なるようになっているので、大入賞口から進入して第１経路へと振り分けられた遊技球が特定領域に入るか否かの予測が困難となる。よって、従来に比べて、遊技球が特定領域に到達するかもしれないという期待を高めることができる。
【００１０】
また、上記構成において、前記遅延手段は、一定の方向へ回転する前記回転体を２つ有し、前記２つの回転体のうち一方は遊技球の流下方向の上流側に設けられる第１回転体、他方は遊技球の流下方向の下流側に設けられる第２回転体であり、前記第１回転体は、回転位置に応じて、遊技球を第１遅延時間だけ遅らせた後に前記第２回転体を経由することなく前記第２遊技球振分け機構へ流下させる場合と、遊技球を前記第２回転体へ導入させる場合とに振り分けが可能な構成であり、前記第２回転体は、前記第１回転体から導かれた遊技球を、前記第１遅延時間より長い第２遅延時間だけ遅延させた後に前記第２遊技球振分け機構へ流下させることが可能な構成とするのが好ましい。
【００１１】
この構成によれば、第１回転体と第２回転体とにより遊技球を異なる遅延時間だけ遅延させることができるから、遊技性が向上する。しかも、上記構成によれば、遊技球が第１回転体から第２遊技球振分け機構に向かって直接流れていく場合と、第１回転体から第２回転体を経由して第２遊技球振分け機構に向かって流れていく場合とがあるので、遊技者を遊技球の動きに惹き付けることができる。そして、この構成により、２つの回転体の動きと遊技球の動きとが相俟って、演出上の高い訴求効果を得ることができる。
【００１２】
また、上記構成において、前記第１回転体は、さらに、遊技球を、前記第１遅延時間より長く、かつ前記第２遅延時間より短い第３遅延時間だけ遅延させた後に前記第２回転体を経由することなく前記第２遊技球振分け機構へ流下させることが可能な構成とするのが好ましい。
【００１３】
この構成によれば、遅延時間のバリエーションが増えるから、より一層遊技球の行方（特定領域に入るか否か）を予測することが困難となり、遊技性が向上する。
【００１４】
また、上記構成において、前記第１回転体は、前記遊技盤の面に直交する方向を軸として回転自在な円柱状または円筒状の本体部と、この本体部の周壁を切り欠いて形成された切欠き部とを有して成り、前記切欠き部は、その回転方向における下流側に設けられ、遊技球を１個保持可能な程度の大きさを有する遊技球保持部と、この遊技球保持部から連続して前記回転方向の上流側まで形成された平坦面とを有し、前記第１回転体は、遊技球が前記本体部の周壁に衝突した場合に、その遊技球を前記第１遅延時間だけ遅延させた後に前記第２遊技球振分け機構へ流下させ、遊技球が前記遊技球保持部に一時的に保持された場合に、その遊技球を前記第３遅延時間だけ遅延させた後に前記第２遊技球振分け機構へ流下させ、遊技球が前記平坦面を流下して前記切欠き部の前記回転方向における上流側から排出された場合に、その遊技球を前記第２回転体へ流下させるように構成するのが好ましい。
【００１５】
この構成によれば、第１回転体の本体部に切欠き部を設け、その切欠き部に遊技球保持部と平坦面とを形成するだけの簡単な構成で、遊技球の遅延時間を異ならせることができる。しかも、遊技球保持部によって遊技球を一時的に保持する構成としたことで、遊技球の流下を遅延している状態を視覚的に演出できるから、遊技の趣向性が高まる。
【００１６】
また、上記構成において、前記第２遊技球振分け機構は、遊技球を前記特定領域へと導く当り穴と、遊技球を前記ハズレ領域へと導くハズレ穴とを有する中央回転体と、この中央回転体を回転駆動する駆動手段と、を有して構成され、前記第１回転体、前記第２回転体、および前記中央回転体は、複数のギアを介して前記駆動手段と接続される構成とするのが好ましい。
【００１７】
この構成によれば、駆動手段を共通化できるため、部品点数を低減でき、低コスト化を図ることができる。
【図面の簡単な説明】
【００１８】
【図１】本発明の実施の形態例に係るパチンコ機の外観斜視図である。
【図２】図１に示すパチンコ機のガラス扉を開けて、遊技盤を取り外した状態の外観斜視図である。
【図３】図２に示す本体枠に取り付けられる遊技盤の正面図である。
【図４】図１に示すパチンコ機の背面図である。
【図５】図１に示すパチンコ機の電気的構成を示すブロック図である。
【図６】図３に示すセンタ役物の正面図である。
【図７】図３に示すセンタ役物の斜視図である。
【図８】図３に示す遊技球振分け遅延機構および中央回転型振分け機構の斜視図である。
【図９】図８に示す遊技球振分け遅延機構および中央回転型振分け機構の正面図である。
【図１０】図８に示す遊技球振分け遅延機構および中央回転型振分け機構の平面図である。
【図１１】図８に示す遊技球振分け遅延機構および中央回転型振分け機構の右側面図である。
【図１２】図８に示す遊技球振分け遅延機構の上側回転体の詳細を示す斜視図である。
【図１３】図１２に示す上側回転体の６面図であり、（ａ）は正面図、（ｂ）は平面図、（ｃ）は底面図、（ｄ）は背面図、（ｅ）は右側面図、（ｆ）は左側面図である。
【図１４】図１２に示す上側回転体が遊技球を振り分ける様子を説明するための図である。
【図１５】図１２に示す上側回転体が遊技球を振り分ける様子を説明するための図である。
【図１６】図１２に示す上側回転体が遊技球を振り分ける様子を説明するための図である。
【図１７】図１２に示す上側回転体が遊技球を振り分ける様子を説明するための図である。
【発明を実施するための形態】
【００１９】
以下、発明の実施の形態例を、図面を参照して説明する。図１〜図３に示すように、本発明の実施の形態例に係るパチンコ機Ｐは、遊技場の島設備に設置される縦長方形状の機枠１と、機枠１に扉状に開閉自在に取り付けられた本体枠２と、本体枠２の内側に収容される遊技盤３（図２において遊技盤３は取り外されている）と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、本体枠２の下部に設けられた発射装置９と、前面ボード６に取り付けられたハンドル７と、を具備している。さらに、ガラス扉４の上部にはスピーカ２０が左右に１個ずつ取り付けられており、遊技に関する様々な効果音を発している。また、図４に示すように、このパチンコ機Ｐは、背面側に、主制御処理部１００、払出・発射制御処理部１０５、サブ制御処理部２００、賞球払出装置１４等を備えている。続いて、図１〜図５を参照して、本実施形態に係るパチンコ機Ｐの構成を詳しく説明していくことにする。
【００２０】
遊技盤３は、図３に示すように、その盤面に遊技領域３１を有しており、遊技領域３１は、本体枠２に装着した後、ガラス板１０を介して観察することができる。遊技領域３１は、遊技球を滑走させるガイドレール３２と遊技球規制レール３３によって略円形状となるように区画形成されており、発射装置９によって打ち出された遊技球はこの遊技領域３１内を流下する。また、遊技領域３１内には、演出表示装置３４と、センタ役物５０と、スルーチャッカ２１と、電動チューリップ４９と、第１始動入賞口（始動口）３７ａおよび第２始動入賞口（始動口）３７ｂと、一般入賞口３８と、アウト口３９と、遊技釘（図示せず）と、風車（図示せず）と、アタッカー装置４１等が設けられている。
【００２１】
第１始動入賞口３７ａは、遊技領域３１の左右方向に隔てて設けられる入賞部品であって、上方開口の取り込み口から遊技球を受け入れることが可能である。遊技球が遊技領域３１を流下する過程において第１始動入賞口３７ａに取り込まれると、第１始動入賞口３７ａの内部に設けられた第１始動入賞口検知センサ（始動検出器）４３ａによって検出され、主制御処理部１００が、当該検出信号に基づいて例えば５個の遊技球を遊技者に対して払い出す制御を払出・発射制御処理部１０５に要求する。払出・発射制御処理部１０５は、この要求に従って賞球払出装置１４を駆動して賞球を払い出すよう制御する。
【００２２】
第２始動入賞口３７ｂは、２つの第１始動入賞口３７ａの間に設けられる入賞部品であって、第１始動入賞口３７ａと同様に上方開口の取り込み口から遊技球を受け入れることが可能である。遊技球が遊技領域３１を流下する過程において第２始動入賞口３７ｂに取り込まれると、第２始動入賞口３７ｂの内部に設けられた第２始動入賞口検知センサ（始動検出器）４３ｂによって検出され、主制御処理部１００が、当該検出信号に基づいて例えば５個の遊技球を遊技者に対して払出す制御を払出・発射制御処理部１０５に要求する。払出・発射制御処理部１０５は、この要求に従って賞球払出装置１４を駆動して賞球を払い出すよう制御する。
【００２３】
なお、主制御処理部１００は、第１始動入賞口検知センサ４３ａまたは第２始動入賞口検知センサ４３ｂからの検知信号が入力されると、その入力信号に基づいて特別図柄に係る抽選を行う。この抽選では必ず小当りに当選する。第１始動入賞口３７ａに遊技球が入賞したことに基づいて小当りに当選すると、主制御処理部１００が一対の羽根５２を１回開放動作（開放時間０．４５秒）するようソレノイドの駆動を制御する。また、第２始動入賞口３７ｂに遊技球が入賞したことに基づいて小当りに当選すると、主制御処理部１００が羽根５２を２回開放動作（開放時間０．７５秒×２回）するようソレノイドの駆動を制御する。
【００２４】
ここで、本実施形態では、始動入賞口３７ａ，３７ｂに遊技球が入賞してから羽根５２の開放動作が開始されるまでの時間（特別図柄の変動時間）が複数設けられている。何れの時間とするかは、主制御処理部１００による抽選で決定される。よって、本実施形態では、羽根５２の開放動作の開始タイミングはランダムである。勿論、羽根５２の開閉動作に関して特別図柄に係る抽選を行うことなく、始動入賞口検知センサ４３ａ，４３ｂからの入力に基づいて羽根５２を開閉動作させるようにしても良い。
【００２５】
一般入賞口３８は、遊技領域３１の左右方向に隔てて設けられる入賞部品であって、上方開口の取り込み口から遊技球を受け入れることが可能である。遊技球が遊技領域３１を流下する過程において一般入賞口３８に取り込まれると、一般入賞口３８の内部に設けられた一般入賞口検知センサ４４によって検出され、主制御処理部１００が、当該検出信号に基づいて例えば１０個の遊技球を遊技者に対して払い出す制御を払出・発射制御処理部１０５に要求する。払出・発射制御処理部１０５は、この要求に従って賞球払出装置１４を駆動して賞球を払い出すよう制御する。なお、遊技球が一般入賞口３８に入賞しても羽根５２の開放動作は行われない。
【００２６】
アウト口３９は、前方開口の取り込み孔を有し、遊技領域３１を流下する過程において上述の各入賞口３７ａ，３７ｂ，３８に取り込まれなかった遊技球を回収する。当該アウト口３９および上述の各入賞口３７ａ，３７ｂ，３８から取り込まれた遊技球は、遊技盤３の裏側に配設される図外の誘導路を流下した後に集合樋に集められ、外部に排出される。
【００２７】
スルーチャッカ２１は、遊技球が通過可能なゲート構造を成しており、その内部には遊技球が通過したことを検知する磁気センサタイプのスルーチャッカ検知センサ４６が内蔵されている。スルーチャッカ２１を遊技球が通過すると、主制御処理部１００によって普通図柄に係る抽選が行われる。そして、この抽選に当選すると、主制御処理部１００は、次に述べる電動チューリップ４９を２回開放動作させる。
【００２８】
電動チューリップ４９は、第２始動入賞口３７ｂの入口に設けられ、遊技盤３の面に直交する軸を中心に回動する一対の羽根部材を備えており、ソレノイドに通電がなされると一対の羽根部材が互いに離れる方向に回動して、第２始動入賞口３７ｂの入口を拡大するようになっている。そして、電動チューリップ４９が開放されることにより、第２始動入賞口３７ｂへの遊技球の入賞が容易となる。
【００２９】
アタッカー装置４１は、大当り遊技に移行した場合に所定回数開放される装置であって、水平な軸を中心として前後方向に開閉する板状の蓋部材を備え、ソレノイドを駆動することにより蓋部材が水平軸回りに回動する構成となっている。後述するセンタ役物５０に遊技球が入賞し、その入賞に係る遊技球が当り通路（特定領域）６８，７７を通過したことを特別入賞検知センサ４７が検知すると、それを契機として、主制御処理部１００が大当り遊技を実行する。この大当り遊技中は、主制御処理部１００によって蓋部材が長時間開くよう制御される。
【００３０】
つまり、アタッカー装置４１は、常態では蓋部材が下大入賞口４２を閉じているため、下大入賞口４２に遊技球が入賞することはないが、上記したように、大当り遊技に移行すると、蓋部材が開いて下大入賞口４２が露呈されるため、遊技球を下大入賞口４２内に入賞させることが可能となる。そして、下大入賞口４２に遊技球が入賞すると、下大入賞口４２の内部に設けられた下大入賞口検知センサ４５ｂによって検出され、主制御処理部１００が、１回の検出信号に基づいて例えば１５個の遊技球を遊技者に対して払出す制御を払出・発射制御処理部１０５に要求する。払出・発射制御処理部１０５は、この要求に従って賞球払出装置１４を駆動して賞球を払い出すよう制御する。
【００３１】
本実施形態では、大当り遊技におけるアタッカー装置４１の開放回数は全て１２Ｒ（ラウンド）としている。具体的には、アタッカー装置４１が１回開放されてから下大入賞口検知センサ４５ｂによる検出球数が合計１０カウントに達するまで、或いは、アタッカー装置４１が作動して３０秒経過するまでのいずれか早い条件が成立するまでを１ラウンドとして、これを例えば１２ラウンド繰り返すことにより行われる。こうして、遊技者は、大当り遊技中に下大入賞口４２に遊技球を入賞させることによって多くの出球を獲得できる。勿論、センタ役物５０に入賞した遊技球がハズレ通路（ハズレ領域）５９，６７，７８に入った場合には、大当り遊技は提供されない。なお、大当り遊技中のアタッカー装置４１のラウンド数を複数設けるようにしても良いことは言うまでもない。
【００３２】
前面ボード６には遊技球を収容するとともに、外部に排出可能な受皿５が取り付けられている。この受皿５は、遊技者が投入した遊技球を収容するだけでなく、賞球払出装置１４から賞球として払い出された遊技球も収容可能となっている。また、遊技球を遊技領域３１に向けて発射するための発射装置９が本体枠２の下部に取り付けられており、受皿５に収容されている遊技球がこの発射装置９に１個ずつ供給される。そして、前面ボード６の右下に取り付けられたハンドル７を回動させると、その回動量に応じた発射強度で発射装置９が遊技球を遊技領域３１へと発射することができるようになっている。また、図１に示すように、受皿５の側部には、遊技者が押下操作する演出用タッチボタン２５が設けられている。
【００３３】
主制御処理部１００は、ＣＰＵ（Central Processing Unit）、予め定められた制御プログラムを格納するＲＯＭ（Read Only Memory）、生成された処理情報の一時記憶および記憶した情報の削除を行うＲＡＭ（Random Access Memory）等により構成されている。このＣＰＵがＲＯＭに格納された各種プログラムやデータを読み込んで実行することにより、遊技に関する主要な処理（例えば、センタ役物５０の作動を制御する処理、アタッカー装置４１を作動して大当り遊技を提供する処理、電動チューリップ４９の作動を制御する処理など）が行われる。
【００３４】
払出・発射制御処理部１０５は、主制御処理部１００と相互通信可能に接続されているうえ、ＣＲユニットとも中継基板を介して相互通信可能に接続されていて、賞球払出装置１４の払出モータの駆動を制御することにより、所定個数の賞球や貸球の払い出しを行っている。また、払出・発射制御処理部１０５は、発射ボリュームの値に応じて発射装置９の発射用モータ（発射用ロータリーソレノイドが用いられることもある）の駆動を制御することにより、所定の発射強度で遊技球を発射できるようにしたり、整流器の球送りソレノイドの駆動を制御することにより、遊技球を１個ずつ発射装置９に送り出したりする等の処理も担っている。なお、ＣＲユニットが払出・発射制御処理部１０５と電気的に接続されていない場合には、発射装置９から遊技球が発射されることはないように制御されている。
【００３５】
また、サブ制御処理部２００は、主制御処理部１００から指令を受けて各種演出を行うものであって、演出表示装置３４の表示を制御する演出制御処理部２０１と、枠ランプや盤面ランプ等の各種ランプの制御を行うためのランプ制御処理部２０２と、スピーカ２０やサウンドプロセッサ等の制御を行うための音声制御処理部２０３と、を備えて構成される。
【００３６】
次に、センタ役物５０の詳細を説明する。センタ役物５０は、遊技球が進入する上大入賞口（大入賞口）５１と、上大入賞口５１の入口近傍に設けられ、遊技球が当該上大入賞口５１に入賞したことを検知する上大入賞口検知センサ４５ａと、上大入賞口５１を開閉する一対の羽根５２と、上大入賞口５１を通過した遊技球を受け入れる内部空間Ｒと、内部空間に設けられた複数の当り通路（特定領域）６８，７７、およびハズレ通路（ハズレ領域）５９，６７，７８と、遊技球を所定の方向へと振り分ける複数の振分け機構Ａ，Ｃ，Ｄ，Ｆと、遊技球を所定の方向に振り分けると共に遊技球の流下を遅延させる遊技球振分け遅延機構Ｂと、遊技球を所定位置まで揚送させる遊技球揚送機構Ｅと、遊技球を所定の位置へと移送させる遊技球回転移送機構Ｇと、を備えて構成されている。なお、賞球の払出しは、上大入賞口検知センサ４５ａの検知信号に基づいて行われる。
【００３７】
まず、シーソー型振分け機構（第１遊技球振分け機構）Ａについて説明する。シーソー型振分け機構Ａは、上大入賞口５１の開放時に同入賞口５１に入賞（入球）した遊技球を、演出表示装置３４の図中左右側に向かう２つの経路（ノーマルルートＮＲ，スペシャルルートＳＲ）のうちのいずれか一方に振り分ける機構である。シーソー型振分け機構Ａは、センタ役物５０の奥側に配置され、中央部が軸支されて左右側が交互に上下動（シーソー動作）する振分け板５４（図６参照）および振分け板５４を駆動するソレノイドを備えて構成されている。
【００３８】
振分け板５４は、初期状態（非動作状態）において図６に示す左下がり状態となっており、上大入賞口５１が開放動作を開始すると一定時間右下がり状態となり、その後、左下がり状態に戻るようにシーソー動作する。そして、そのシーソー動作の時間は、上大入賞口７に入賞した遊技球が、左側のノーマルルート（第１経路）へは約１１／１２の確率で、右側のスペシャルルート（第２経路）へは約１／１２の確率で、各々振り分けられるような設定となっている。
【００３９】
左側のノーマルルートＮＲは、遊技球が当り通路に導かれるルートとして、導入口（遊技球導入口）５６から落下して遊技球振分け遅延機構Ｂへと導入され、その後、球突き型振分け機構Ｃ、中央回転型振分け機構Ｄを順次経由して所定の場合に当り通路６８の入口を通過する正規ルートと、中央回転型振分け機構Ｄからさらに遊技球揚送機構Ｅ、右回転型振分け機構Ｆを順次経由して、所定の場合に当り通路７７の入口を通過するリプレイルートとの２つのルートがある。一方、右側のスペシャルルートＳＲは、遊技球が当り通路に導かれるルートとして、遊技球回転移送機構Ｇ、右回転型振分け機構Ｆを順次経由して、所定の場合に当り通路７７の入口を通過する特別ルートのみである。なお、詳しくは後述するが、遊技球がノーマルルートＮＲに振り分けられるよりスペシャルルートＳＲに振り分けられる方が、大当りとなる確率（当り通路を通過する確率）は高くなっている。
【００４０】
次に、遊技球振分け遅延機構（遅延手段）Ｂは、遊技球を所定の方向に振り分けると共に、遊技球を所定の時間だけ遅延させた後に球突き型振分け機構Ｃに向けて流下させるための機構である。具体的には、遊技球振分け遅延機構Ｂは、図８〜図１３に示すように、遊技球の流下方向の上流側に設けられる上側回転体（第１回転体）８０と、遊技球の流下方向の下流側に設けられる下側回転体（第２回転体）９０と、これらの回転体８０，９０を駆動するモータ（駆動手段）６２と、回転体８０，９０とモータ６２とを連結する複数のギア６３ｂ〜ｋと、を備えている。なお、上側回転体８０および下側回転体９０は、センタ役物５０の羽根５２の開閉動作と関係なく、パチンコ機Ｐの電源投入時から遮断時までの間、一定方向（図６および図８の矢印オ、カの方向）に一定速度で常時回転している。
【００４１】
上側回転体８０は、図８、図１０および図１１等に示すように、回転軸（軸）８１を中心として回転する円筒状の構造体であり、本体部８２と、この本体部８２の周壁（外周面）を二等分するように切り欠いて形成された２つの切欠き部８７，８８と、これら２つの切欠き部８７，８８と隣り合う２つの周壁面８３ａ，８３ｂと、回転軸８１を挿入する軸穴８６と、を有している。なお、本体部８２として、円筒状ではなく円柱状の構造体を用いても良いことは言うまでもない。
【００４２】
切欠き部８７は、その回転方向（矢印オの方向）における下流側に形成された遊技球保持部８４ａと、この遊技球保持部８４ａから連続して回転方向（矢印オの方向）の上流側まで形成された平坦面８５ａと、を有している。遊技球保持部８４ａは、遊技球の半径よりやや大きな半径で描かれた曲面から成り、その曲面に遊技球を１個保持可能に構成される。平坦面８５ａは、凹凸のない滑らかな面である。なお、遊技球保持部８４ａは、図１３に示すように、上側回転体８０の中心線ＣＬから回転方向の下流側（同図の左側）に幅Ｌ１の大きさで形成され、平坦面８５ａは、中心線ＣＬから回転方向の上流側（同図の右側）に、幅Ｌ１より大きい幅Ｌ２の大きさで形成されている。本実施形態では、Ｌ１はパチンコ球の半径と略等しい大きさとなっている。
【００４３】
切欠き部８８は、その回転方向（矢印オの方向）における下流側に形成された遊技球保持部８４ｂと、この遊技球保持部８４ｂから連続して回転方向（矢印オの方向）の上流側まで形成された平坦面８５ｂと、を有している。なお、遊技球保持部８４ｂおよび平坦面８５ｂの形状は、切欠き部８７の遊技球保持部８４ａおよび平坦面８５ａと同じであるため、ここでの説明は省略する。
【００４４】
一方、下側回転体９０は、回転軸９１を中心として回転する円筒状の構造体であり、本体部９２と、この本体部９２の周壁を三等分するように切り欠いて形成された３つの切欠き部９４ａ，９４ｂ，９４ｃと、これら３つの切欠き部９４ａ，９４ｂ，９４ｃと隣り合う周壁面９３ａ，９３ｂ，９３ｃと、回転軸９１を挿入する軸穴９６と、を備えている。切欠き部９４ａ，９４ｂ，９４ｃは、遊技球が１個出入り可能な程度の大きさで形成されている。なお、本体部９２として、円筒状ではなく円柱状の構造体を用いても良いことは言うまでもない。
【００４５】
上側回転体８０は、その回転軸８１が遊技盤３の盤面に直交する方向に向けられるようにして、遊技盤３に取り付けられる。同じく、下側回転体９０は、その回転軸９１が遊技盤３の盤面に直交する方向に向けられるようにして、遊技盤３に取り付けられる。ただし、下側回転体９０は、上側回転体８０の下側で、中心がやや上側回転体８０より左側に寄った位置（図９参照）で、かつ、上側回転体８０よりやや手前側の位置（図１１参照）に取り付けられている。また、上側回転体８０は、図１４等に示すように、導入口（遊技球導入口）５６の中心から正面視で右方向に距離Ｌ３だけオフセットされた位置に取り付けられる。
【００４６】
そして、上側回転体８０と下側回転体９０とは、後述する中央回転型振分け機構Ｄの中央回転体６５と同じ駆動源によって駆動される。具体的には、図８に示すように、モータ６２の軸にギア６３ｂが連結されており、ギア６３ｂとギア６３ａとが噛み合うことにより、回転軸６４を介して中央回転体６５が矢印アの方向に回転する。また、上側回転体８０は、ギア６３ｂ〜６３ｉおよびギア６３ｋが噛み合うことにより、矢印オの方向に回転する。下側回転体９０は、ギア６３ｂ〜６３ｉおよび６３ｊが噛み合うことにより、矢印カの方向に回転する。
【００４７】
このように構成された遊技球振分け遅延機構Ｂは、導入口５６から導入された遊技球に対し、異なる遅延時間だけ遊技球の流下を妨げた後に、球突き型振分け機構Ｃに遊技球を流下させる。どのようにして遅延時間が異なるようになるのかについて、図１４〜図１７を用いて、以下詳しく説明する。
【００４８】
図１４に示すように、上側回転体８０の周壁８３ｂが導入口５６の真下に到達するような回転位置にあるときに、遊技球が導入口５６から落下すると、遊技球は上側回転体８０の周壁８３ｂに衝突して、すぐ左側に振り分けられる。そして、左側に振り分けられた遊技球は、下流側にある球突き型振分け機構Ｃに向かって流下する。よって、図１４の場合には、遊技球の流下は、遊技球が周壁８３ｂａに衝突した分だけ遅延する。この遅延時間は、本発明の「第１遅延時間」に相当し、本実施形態において例えば０．２秒程度である。
【００４９】
次に、図１５に示すように、上側回転体８０の遊技球保持部８４ａが導入口５６の真下にちょうど到達した回転位置か、あるいはそれよりやや遊技球保持部８４ａが回転方向の下流側に位置している回転位置（別言すれば、平坦面８５ａが水平よりやや左下がりに傾いた位置）になったときに、導入口５６から遊技球が落下すると、その遊技球が遊技球保持部８４ａに乗ったまま上側回転体８０が回転する。そして、図１６に示すように、遊技球保持部８４ａが所定の位置まで回転すると、遊技球は、遊技球保持部８４ａから落下して左側に振り分けられ、下流側にある球突き型振分け機構Ｃに向かって流下する。よって、図１５および図１６の場合には、遊技球の流下は、遊技球が遊技球保持部８４ａに保持されている時間だけ遅延する。この遅延時間は、本発明の「第３遅延時間」に相当し、本実施形態において、例えば１．５秒程度である。
【００５０】
なお、上側回転体８０が図１６の位置にあるタイミングで、遊技球が導入口５６から落下してきた場合には、平坦面８５ａと衝突して左側へ跳ね、遊技球保持部８４ａとも多少は衝突してから左側に振り分けられるが、このとき、遊技球は遊技球保持部８４ａに殆ど保持されていない。よって、この場合の遅延時間は、上記した０．２秒または１．５秒とも異なる時間となる。即ち、上側回転体８０によって左側に振り分けられる場合の遅延時間は上側回転体８０の回転位置に応じて様々な時間となる（ランダムになる）。
【００５１】
次に、図１７に示すように、上側回転体８０の遊技球保持部８４ａが導入口５６の真下に到達するよりやや回転方向の上流側に位置するような回転位置（別言すると、平坦面８５ａが水平となる位置あるいはやや右下がりに傾いた位置）になったときに、遊技球が導入口５６から落下すると、遊技球は落下の勢いで平坦面８５ａを転がって、右側に振り分けられる。右側に振り分けられた遊技球は、下側回転体９０に向かって流下し、図８に示す下側回転体９０の切欠き部９４ａ，９４ｂ，９４ｃの何れかに導入される。その後、遊技球は、下側回転体９０が所定の回転位置になるまで、切欠き部９４ａ，９４ｂ，９４ｃの中に入ったまま保持される。そして、下側回転体９０が所定の回転位置になると、遊技球は、下側回転体９０の切欠き部９４ａ，９４ｂ，９４ｃから落下し、球突き型振分け機構Ｃに向けて流下する。この場合、遊技球は、上側回転体８０によって右側に振り分けられ、下側回転体９０で保持されている時間だけ遅延することになる。この遅延時間は、本発明の「第２遅延時間」に相当し、本実施形態において例えば２．５秒程度である。
【００５２】
なお、遊技球が下側回転体９０へと導かれた場合であっても、下側回転体９０の回転位置によって、遊技球がすぐに切欠き部９４ａ，９４ｂ，９４ｃに入る場合もあれば、しばらく待たされる場合もある。そのため、本実施形態では、上側回転体８０によって右側に振り分けられる場合の遅延時間も、バラツキが生じるようになっている。
【００５３】
このように、本実施形態では、導入口５６から落下した遊技球を、遊技球振分け遅延機構Ｂによって左側と右側とに振り分けると共に、その振り分けに伴って、遊技球が例えば、０．２秒、１．５秒、２．５秒など異なる遅延時間だけ遅延した後に、下流側に向けて転動する。そのため、ノーマルルートＮＲに振り分けられた遊技球が球突き型振分け機構Ｃに到達するまでの時間がバラつくことになる。球突き型振分け機構Ｃに到達する時間がバラつくということは、中央回転型振分け機構Ｄに遊技球が導入されるタイミングが異なるということなので、遊技球がノーマルルートＮＲに振り分けられた時点では、その遊技球が中央回転体６５のＶ穴（ｓ１）に入るか否かを予測することは極めて困難となる。
【００５４】
そのため、従来は、遊技球がノーマルルートＮＲに振り分けられた時点で大当り／ハズレの予測ができたので、遊技への興味が失われていたが、本実施形態によれば、遊技球の遅延時間がバラバラなので、遊技球がセンタ役物５０に入ってからの楽しみや期待感が増し、遊技の趣向性が高まる。
【００５５】
さらに、本実施形態では、上側回転体８０に遊技球保持部８４ａ，８４ｂと平坦面８５ａ，８５ｂを設けているから、上側回転体８０が一方向にしか回転していないにも拘らず、遊技球を左側と右側とに振り分けることが可能である。そして、一方向に回転しながら異なる方向に遊技球を振り分けることができるから、後述する中央回転体６５の駆動と、上側回転体８０および下側回転体９０の駆動とを１つのモータ６２で行うことができる。
【００５６】
なお、上側回転体８０は、導入口５６から距離Ｌ３だけ右側にオフセットされた位置に設けられているから、上側回転体８０が導入口５６と同一中心線上に配置されている場合に比べて、遊技球は左側に振り分けられる確率は高くなる。これに対して、遊技球が右側に振り分けられる確率を高くしたい場合には、上側回転体８０を導入口５６から左側にオフセットした位置に設ければ良い。勿論、上側回転体８０が導入口５６と同一中心線上に配置されるようにしても良い。要するに、導入口５６と上側回転体８０との位置関係は、遊技球をどのように振り分けたいかという設計的思想に応じて、好適な位置に配置すれば良い。
【００５７】
球突き型振分け機構Ｃは、シーソー型振分け機構ＡによってノーマルルートＮＲに振り分けられ、遊技球振分け遅延機構Ｂを経由して連絡通路５７を通ってきた遊技球を、中央回転型振分け機構Ｄに向かう誘導路６０またはハズレ通路（ハズレ領域）５９の入口のいずれかに振り分ける機構である。球突き型振分け機構Ｃは、球突き板５８と、この球突き板５８を駆動するソレノイドと、を備えて構成されている。
【００５８】
センタ役物５０の羽根５１が開閉動作すると、球突き板５８が所定の進退動作をする。球突き板５８が図６の矢印キの方向へ移動して、連絡通路５７に進出した位置に保持されると、連絡通路５７上を奥側から手前側に転動してきた遊技球が、球突き板５８によって堰き止められる。このとき、遊技球は球突き板５８によって誘導路６０へと案内され、誘導路６０を転動して中央回転型振分け機構Ｄへと導入される（図６，７参照）。一方、球突き板５８が図６の矢印クの方向へ移動して、連絡通路５７から退避すると、遊技球を堰き止めるものがなくなるので、遊技球は連絡通路５７から手前側のハズレ通路５９の入口に進入する。そして、その遊技球は、ハズレ通路５９から外部へと排出される。
【００５９】
なお、球突き型振分け機構Ｃは、遊技球を中央回転型振分け機構Ｄ側へは約２／５の確率で、ハズレ通路５９側へは約３／５の確率で、各々振り分けられるように、弾き動作（進退動）の時間間隔が設定されている。この弾き動作の時間間隔は、上大入賞口５１に入賞した遊技球がシーソー型振分け機構ＡによってノーマルルートＮＲに振り分けられた場合に、同遊技球が上大入賞口５１の入賞時点（上大入賞口検知センサ４５ａのＯＮ時）から球突き板５８の進退する位置に到達するまでの平均的な時間を実験等によって求め、その時間に基づいて設定される。
【００６０】
中央回転型振分け機構（第２遊技球振分け機構）Ｄは、球突き型振分け機構Ｃによって導かれた遊技球を、当り通路６８、導入通路６９、またはハズレ通路６７の何れかに振り分けるための機構であり、図７および図１０に示すように、矢印アの方向に常時回転する中央回転体６５と、この中央回転体６５を駆動するモータ６２と、を備えて構成される。中央回転体６５は、演出表示装置３４（図３参照）の下方側に位置し、鉛直方向を軸として回転自在な円盤体であって、円周方向に沿って均等に間隔を空けて８つの穴が設けられており、それらの穴は、突条６６によって互いに仕切られている。８つの穴のうち１つはＶ穴（ｓ１）、別の１つはリプレイ穴（ｓ５）、その他の残りは全てハズレ穴（ｓ２〜ｓ４，ｓ６〜ｓ８）である。
【００６１】
中央回転体６５の取付け面には、当り通路（特定領域）６８の入口、およびハズレ通路（ハズレ領域）６７の入口が設けられており、中央回転体６５の回転位置に応じて、Ｖ穴（ｓ１）は当り通路６８の入口と、ハズレ穴（ｓ２〜ｓ４，ｓ６〜ｓ８）はハズレ通路６７の入口と、リプレイ穴（ｓ５）は導入通路６９と、それぞれ連通するように構成されている。勿論、Ｖ穴（ｓ１）がハズレ通路６７の入口および導入通路６９と連通することはなく、ハズレ穴（ｓ２〜ｓ４，ｓ６〜ｓ８）が当り通路６８の入口および導入通路６９と連通することはなく、リプレイ穴（ｓ５）が当り通路６８の入口およびハズレ通路６７の入口と連通することはない。
【００６２】
Ｖ穴（ｓ１）に遊技球が入ると、その遊技球はＶ穴（ｓ１）内に保持されたまま中央回転体６５の回転に伴って移動し、当り通路６８の入口と連通したときに、当り通路６８の入口から通路内を通過して、外部へ排出される。このとき、当り通路６８内に設けられた特別入賞検知センサ４７が遊技球の通過を検知し、主制御処理部１００に検知信号を出力する。その検知信号を受けた主制御処理部１００は大当り遊技を提供する。
【００６３】
一方、リプレイ穴（ｓ５）に遊技球が入ると、その遊技球は、リプレイ穴（ｓ５）内に保持されたまま中央回転体６５の回転に伴って移動し、導入通路６９と連通したときに、導入通路６９へと流下する。また、ハズレ穴（ｓ２〜ｓ４、ｓ６〜ｓ８）に遊技球が入ると、その遊技球はハズレ穴（ｓ２〜ｓ４、ｓ６〜ｓ８）内に保持されたまま中央回転体６５の回転に伴って移動し、ハズレ通路６７の入口と連通したときに、ハズレ通路６７の入口から通路内を通過して外部に排出される。このとき、ハズレ通路６７内に設けられたハズレ球検知センサ４８によって遊技球の通過が検知され、その検知信号は主制御処理部１００に入力される。主制御処理部１００は、この検知信号によって、遊技球が外部に排出されたことを確認する。
【００６４】
この構成によると、中央回転型振分け機構Ｄに達した遊技球は、１／８の確率（第１の確率）でＶ穴（ｓ１）に導入され、同じく１／８の確率でリプレイ穴（ｓ５）に導入され、６／８の確率でハズレ穴（ｓ２〜ｓ４，ｓ６〜ｓ８）に導入されることになる。
【００６５】
遊技球揚送機構Ｅは、中央回転型振分け機構Ｄのリプレイ穴（ｓ５）に導入されて、導入通路６９を流下してきた遊技球を、右回転型振分け機構Ｆへと揚送させる機構である。遊技球揚送機構Ｅは、遊技球を保持しながら図６の矢印ウの方向および矢印エの方向に上下動する可動体７０と、この可動体７０を駆動するモータと、可動体７０の移動を案内するガイド（図示せず）と、を備えて構成されている。
【００６６】
可動体７０は、最下端の位置において導入通路６９を流下してきた遊技球を受け入れ、その遊技球を保持したまま最上端の位置まで矢印ウの方向に上昇し、最上端の位置で、遊技球を右回転型振分け機構Ｆの側方入口７４ｂへ送り出すように動作する。そして、遊技球を側方入口７４ｂまで揚送した後には、可動体７０は、最下端の位置まで矢印エの方向に下降する。
【００６７】
右回転型振分け機構（第３遊技球振分け機構）Ｆは、シーソー型振分け機構ＡによってスペシャルルートＳＲに振り分けられ、後述する遊技球回転移送機構Ｇから導入された遊技球と、上記したように遊技球揚送機構Ｅによって揚送され、側方入口７４ｂへと導入された遊技球とを、それぞれ当り通路７７またはハズレ通路７８へと振り分ける機構である。
【００６８】
右回転型振分け機構Ｆは、回転軸方向に交差する一端面がパチンコ機正面側に向けられた右回転体７５と、この右回転体７５を駆動するモータと、を備えて構成される。右回転体７５は、モータによって図６の矢印イの方向に一定の速度で常時回転している。右回転体７５には、Ｖ穴７６ａと、２つのハズレ穴７６ｂ，７６ｃとが、互いに等間隔で設けられている。各穴７６ａ，７６ｂ，７６ｃは、遊技球が１個出入り可能な程度の大きさで形成されている。
【００６９】
遊技球がＶ穴７６ａに入ると、当り通路（特定領域）７７の入口へ導かれる。当り通路７７と通過した遊技球は、特別入賞検知センサ４７によって検知され、その検知信号が主制御処理部１００に入力される。すると、主制御処理部１００が大当り遊技を提供する。一方、遊技球がハズレ穴７６ｂ，７６ｃに入ると、ハズレ通路（ハズレ領域）７８の入口へ導かる。ハズレ通路７８を通過した遊技球は、ハズレ球検知センサ４８によって検知され、主制御処理部１００はその検知信号に基づき、遊技球が外部に排出されたことを確認する。
【００７０】
なお、図示しないが、当り通路６８と当り通路７７とは途中で合流して１つの当り通路となっており、合流した当り通路内に特別入賞検知センサ４７が設けられている。同様に、ハズレ通路５９とハズレ通路６７とハズレ通路７８とは途中で合流して１つのハズレ通路となっており、合流したハズレ通路内にハズレ球検知センサ４８が設けられている。
【００７１】
この構成によると、右回転型振分け機構Ｆに進入した遊技球は、１／３の確率（第２の確率）でＶ穴７６ａに振り分けられ、２／３の確率でハズレ穴７６ｂ，７６ｃへと振り分けられる。よって、ノーマルルートＮＲから中央回転体６５のＶ穴（ｓ１）に遊技球が入って大当りとなる確率が１／８であったのに対して、スペシャルルートＳＲから右回転体７５のＶ穴７６ａに遊技球が入って大当りとなる確率は１／３であることから、スペシャルルートＳＲの方が遊技者に有利である。
【００７２】
遊技球回転移送機構Ｇは、シーソー型振分け機構ＡによりスペシャルルートＳＲに振り分けられた遊技球を、遊技盤３の奥側から手前側（遊技者側）に移動させながら右回転型振分け機構Ｆの上方にある上方入口７４ａへと導くための機構である。遊技球回転移送機構Ｇは、遊技盤３の盤面に直交する方向を軸にして回転する２つの装飾回転体７１，７２と、これらの装飾回転体７１，７２をモータとを備えて構成されている。装飾回転体７１，７２は、それぞれ、遊技球を１個保持可能な切欠き部が複数設けられている。スペシャルルートＳＲに振り分けられた遊技球は、まず、装飾回転体７１の切欠き部に保持されながら図６の矢印ケの方向に所定の回転位置まで移送された後、装飾回転体７２へと送り出される。次に、遊技球は、装飾回転体７２の切欠き部に保持されながら図６の矢印コの方向に所定の回転位置まで移送された後、上方入口７４ａへと導かれる。
【００７３】
なお、詳しくは図示しないが、２つの装飾回転体７１，７２と、上記した右回転体７５とは、複数のギアを介して１つのモータと連結していて、このモータによって３つの回転体が所定の方向に常時回転している。具体的には、装飾回転体７１は図６の矢印ケの方向に回転し、装飾回転体７２は矢印コの方向に回転し、右回転体７５は矢印イの方向に回転している。そして、これら複数のギアの歯数の最小公倍数が大きくなるような値（例えば、素数）になっている。これは、回転体７１，７２，７５の回転位置を判別し、有利な遊技状態になり得る（Ｖ穴７６ａ内に遊技球を導入させ得る）回転体７１，７２，７５の回転角の周期（法則）を推測しにくくするためである。
【００７４】
本パチンコ機Ｐにおいて、センタ役物５０に遊技球が入賞した場合の遊技球の流下経路をまとめると、次の通りとなる。なお、図７の矢印は、遊技球の流下する方向を示している。
【００７５】
「ノーマルルートＮＲに振り分けられた場合」：
（パターン１）
遊技球が上大入賞口５１に入賞→シーソー型振分け機構ＡによってノーマルルートＮＲへ振分→遊技球振分け遅延機構Ｂによってランダムに遅延→球突き振分け機構Ｃでハズレ通路５９の入口に誘導→センタ役物５０の外部に排出。
【００７６】
（パターン２）
遊技球が上大入賞口５１に入賞→シーソー型振分け機構ＡによってノーマルルートＮＲへ振分→遊技球振分け遅延機構Ｂによってランダムに遅延→球突き振分け機構Ｃによって中央回転型振分け機構Ｄへ誘導→ハズレ穴（ｓ２〜ｓ４，ｓ６〜ｓ８）に入ってハズレ通路６７の入口に誘導→センタ役物５０の外部に排出。
【００７７】
（パターン３：正規ルートでの大当り）
遊技球が上大入賞口５１に入賞→シーソー型振分け機構ＡによってノーマルルートＮＲへ振分→遊技球振分け遅延機構Ｂによってランダムに遅延→球突き振分け機構Ｃによって中央回転型振分け機構Ｄに誘導→Ｖ穴（ｓ１）に入って当り通路６８の入口に誘導→センタ役物５０の外部に排出（大当り遊技提供）。
【００７８】
（パターン４：リプレイルートでの大当り）
遊技球が上大入賞口５１に入賞→シーソー型振分け機構ＡによってノーマルルートＮＲへ振分→遊技球振分け遅延機構Ｂによってランダムに遅延→球突き振分け機構Ｃによって中央回転型振分け機構Ｄに誘導→リプレイ穴（ｓ５）に入って遊技球揚送機構Ｅに誘導→側方入口７４ｂから右回転型振分け機構Ｆに誘導→Ｖ穴７６ａに入って当り通路７７の入口に誘導→センタ役物５０の外部に排出（大当り遊技提供）。
【００７９】
（パターン５：リプレイルートでのハズレ）
遊技球が上大入賞口５１に入賞→シーソー型振分け機構ＡによってノーマルルートＮＲへ振分→遊技球振分け遅延機構Ｂによってランダムに遅延→球突き振分け機構Ｃによって中央回転型振分け機構Ｄに誘導→リプレイ穴（ｓ５）に入って遊技球揚送機構Ｅに誘導→側方入口７４ｂから右回転型振分け機構Ｆに誘導→ハズレ穴７６ｂ，７６ｃに入ってハズレ通路７８の入口に誘導→センタ役物５０の外部に排出。
【００８０】
「スペシャルルートＳＲに振り分けられた場合」：
（パターン６：特別ルートによる大当り）
遊技球が上大入賞口５１に入賞→シーソー型振分け機構ＡによってスペシャルルートＳＲへ振分→遊技球回転移送機構Ｇによって右回転型振分け機構Ｆに移送→Ｖ穴７６ａに入って当り通路７７の入口に誘導→センタ役物５０の外部に排出（大当り遊技提供）。
【００８１】
（パターン７）
遊技球が上大入賞口５１に入賞→シーソー型振分け機構ＡによってスペシャルルートＳＲへ振分→遊技球回転移送機構Ｇによって右回転型振分け機構Ｆに移送→ハズレ穴７６ｂ，７６ｃに入ってハズレ通路７８の入口に誘導→センタ役物５０の外部に排出。
【００８２】
以上、説明したように本発明の実施の形態例に係るパチンコ機Ｐによれば、遊技球振分け遅延機構Ｂの上側回転体８０の回転位置に応じて、遊技球の遅延時間が異なるようになっているので、上大入賞口５１から進入してノーマルルートＮＲへと振り分けられた遊技球が当り通路６８または当り通路７７を通過出来るか否かの予測が困難となる。よって、遊技者の大当りへの期待感を煽ることができる。また、上側回転体８０と下側回転体９０とにより様々な遅延時間が生じるから、より一層予測が困難となり、遊技性が向上する。
【００８３】
また、本実施形態に用いられる遊技球振分け遅延機構Ｂは、１つの上側回転体８０のみによって、異なる方向（左右方向）に遊技球を振り分けることができるから、当該遊技球振分け遅延機構Ｂの構造を簡素化できるうえ、部品点数を低減できるから、小型化および低コスト化を図ることができる。
【００８４】
また、上側回転体８０には、遊技球保持部８４ａ，８４ｂと平坦面８５ａ，８５ｂとが設けられていて、常時一定方向に回転しているから、回転位置によって、遊技球を左右に振り分けられるだけでなく、遅延時間にバラツキを持たせることができる。よって、遊技球の向かう先の予測が困難である。また、上側回転体８０と導入口５６の中心位置がオフセットされているから、遊技球を一の方向へ振り分ける確率を他の方向へ振り分ける確率より高くすることができる。
【００８５】
なお、本発明は上記した実施の形態例に限定されるものではなく、適宜変更して実施することができる。例えば、球突き振分け機構Ｃを設けずに、遊技球振分け遅延機構Ｂからいきなり中央回転型振分け機構Ｄに遊技球を流下させるようにしても良い。このように構成しても、遊技球振分け遅延機構Ｂによって遊技球が中央回転型振分け機構Ｄに到達するまでの時間がバラつくから、中央回転体６５のＶ穴（ｓ１）に入るか否かの予測が困難となり、上記と同様の効果を奏し得る。
【符号の説明】
【００８６】
３…遊技盤、３１…遊技領域、３７ａ…第１始動入賞口（始動口）、３７ｂ…第２始動入賞口（始動口）、４３ａ…第１始動入賞口検知センサ（始動検出器）、４３ｂ…第２始動入賞口検知センサ（始動検出器）、５０…センタ役物、５１…上大入賞口（大入賞口）、５２…羽根、５６…導入口（遊技球導入口）、６２…モータ（駆動手段）、６３ａ〜ｋ…ギア、６５…中央回転体、６７…ハズレ通路（ハズレ領域）、６８…当り通路（特定領域）、７４ａ…上方入口、７４ｂ…側方入口、７６ａ…Ｖ穴、７６ｂ〜ｃ…ハズレ穴、７７…当り通路（特定領域）、７８…ハズレ通路（ハズレ領域）、８０…上側回転体（第１回転体）、８１…回転軸（軸）、８２…本体部、８３ａ〜ｂ…周壁面（周壁）、８４ａ〜ｂ…遊技球保持部、８５ａ〜ｂ…平坦面、８７，８８…切欠き部、９０…下側回転体（第２回転体）、９１…回転軸、９２…本体部、９３ａ〜ｃ…周壁面、９４ａ〜ｃ…遊技球保持部、Ａ…シーソー型振分け機構（第１遊技球振分け機構）、Ｂ…遊技球振分け遅延機構（遅延手段）、Ｃ…球突き型振分け機構、Ｄ…中央回転型振分け機構（第２遊技球振分け機構）、Ｅ…遊技球揚送機構、Ｆ…右回転型振分け機構（第３遊技球振分け機構）、Ｇ…遊技球回転移送機構、Ｒ…内部空間、Ｓ１…Ｖ穴（当り穴）、Ｓ５…リプレイ穴、Ｓ２〜４，Ｓ６〜８…ハズレ穴、ＮＲ…ノーマルルート（第１経路）、ＳＲ…スペシャルルート（第２経路）
【図１】
0005996246.tif 000002
【図２】
0005996246.tif 000003
【図３】
0005996246.tif 000004
【図４】
0005996246.tif 000005
【図５】
0005996246.tif 000006
【図６】
0005996246.tif 000007
【図７】
0005996246.tif 000008
【図８】
0005996246.tif 000009
【図９】
0005996246.tif 000010
【図１０】
0005996246.tif 000011
【図１１】
0005996246.tif 000012
【図１２】
0005996246.tif 000013
【図１３】
0005996246.tif 000014
【図１４】
0005996246.tif 000015
【図１５】
0005996246.tif 000016
【図１６】
0005996246.tif 000017
【図１７】
0005996246.tif 000018